(57)【要約】【課題】台風時に雨水が室内に浸入することを防止可能な雨水浸入防止装置の提供。【解決手段】窓枠２２の下端側から屋外側に向かって張り出す面台１６の上に立設される雨水浸入防止板６４と、面台１６の長手方向両端に設けられて、雨水浸入防止板６４の長手方向両端を支承する第１の支承部材５２と、によって雨水浸入防止装置５０を構成する。【選択図】  図３
0003135612.tif 000002
【実用新案登録請求の範囲】
【請求項１】
可動障子と窓枠とを有する窓から雨水が屋内へ浸入することを防止する雨水浸入防止装置であって、
前記窓枠の下端側から屋外側に向かって張り出す面台の上に立設される雨水浸入防止板と、
前記面台の長手方向両端に設けられて、前記雨水浸入防止板の長手方向両端を支承する第１の支承部材と、を有することを特徴とする雨水浸入防止装置。
【請求項２】
前記雨水浸入防止板の長手方向中間部を前記面台の上で支承する第２の支承部材を有することを特徴とする請求項１記載の雨水浸入防止装置。
【請求項３】
前記第２の支承部材が、前記面台の上に螺子止め可能に形成されていることを特徴とする請求項２記載の雨水浸入防止装置。
【請求項４】
前記雨水浸入防止板の底面は、前記雨水浸入防止板の裏面から表面側に向かって形成された切り欠きを有することを特徴とする請求項１から請求項３のうちのいずれかの請求項に記載の雨水浸入防止装置。
【請求項５】
前記第１の支承部材と前記雨水浸入防止板の長手方向端部とのうちのいずれか一方に凸部が形成され、他方に当該凸部と係合可能な凹部が形成されていることを特徴とする請求項１から請求項４のうちのいずれかの請求項に記載の雨水浸入防止装置。
【考案の詳細な説明】
【技術分野】
【０００１】
可動障子と窓枠とを有する窓から雨水が屋内へ浸入することを防止する雨水浸入防止装置に関する。
【背景技術】
【０００２】
住宅等のテラスやバルコニー等に面した外壁位置には、居住者が室内と室外との間を出入りするための掃出し窓が設けられている。このような掃出し窓としては、引き違い窓等のサッシ窓が一般的である。
サッシ窓は、外壁に固定された窓枠と、この窓枠内にスライド自在に支持された可動障子とを備える。サッシ窓の窓枠の一部を構成する下枠として、室外側のレールが室内側のレールよりも低い位置に階段状に設けられたものがある（例えば、特許文献１を参照）。
【０００３】
階段状の下枠の構成の一例を図５に示す。建物の外壁の開口部の内側にサッシ窓が設けられており、このサッシ窓の窓枠の一部をなす下枠２４が建物の土台１４の上に載っている。
面台１６が、下枠２４の下端側から室外側に向かって張り出している。面台１６は室外側に向かってなだらかに下降する傾斜面をなしている。面台１６よりもさらに室外側にテラス等が設けられている。
【０００４】
下枠２４は、室外側から室内側に向かって順番に配置された網戸レール２６、外側障子レール２８、内側障子レール３０を有している。網戸レール２６と外側障子レール２８との間には第１の溝が形成されており、この第１の溝の底面が水切り面３４Ａをなしている。外側障子レール２８と内側障子レール３０との間には第２の溝が形成されており、この第２の溝の底面が水切り面３４Ｂをなしている。内側障子レール３０の室内側には第３の溝が形成されており、この第３の溝の底面が水切り面３４Ｃをなしている。
【０００５】
網戸レール２６の頂部は外側障子レール２８の頂部よりも低い位置にあり、外側障子レール２８の頂部は内側障子レール３０の頂部よりも低い位置にある。また、水切り面３４Ａは水切り面３４Ｂよりも低い位置にあり、水切り面３４Ｂは水切り面３４Ｃよりも低い位置にある。
網戸レール２６、外側障子レール２８、内側障子レール３０は、それぞれ一部分を切り欠かかれており（図示せず）、これらの切り欠きが水抜きをなしている。内側障子レール３０の水抜きは、水切り面３４Ｃに溜まった水を水切り面３４Ｂに流すことが可能である。外側障子レール２８の水抜きは、水切り面３４Ｂに溜まった水を水切り面３４Ａに流すことが可能である。網戸レール２６の水抜きは、水切り面３４Ａに溜まった水を面台１６に流すことが可能である。
【０００６】
内側可動障子３８及び外側可動障子４０は、それぞれ、下端部分に戸車４２を収納する空間部４４を有している。内側可動障子３８の戸車４２が内側障子レール３０の上に載り、外側可動障子４０の戸車４２が外側障子レール２８の上に載っており、内側可動障子３８と外側可動障子４０とが窓枠内にスライド可能に支持されて嵌っている。
下枠２４の室内側端には、下枠２４の長手方向に連続するアングル３６が形成されている。アングル３６は内側障子レール３０の頂部よりも一段と高い位置に設けられている。アングル３６は室内の床仕上げ材４６の縁上にかぶさっている。
【０００７】
風を伴った降雨時には、雨水が外側可動障子４０や内側可動障子３８に吹き付けられる。外側可動障子４０に吹き付けられた雨水は水切り面３４Ａに流れ落ち、内側可動障子３８に吹き付けられた雨水は水切り面３４Ｂに流れ落ちる。そして、水切り面３４Ｂの雨水は水切り面３４Ａに流れ、水切り面３４Ａの雨水は面台１６に流れる。
水切り面３４Ａ、３４Ｂ、３４Ｃは階段状に高さが順番に高くなっており、雨水が水切り面３４Ａから水切り面３４Ｂに流れることはなく、雨水が水切り面３４Ｂから水切り面３４Ｃに流れることもない。また、アングル３６は水切り面３４Ｃよりも高い位置にあるので、水切り面３４Ａ、３４Ｂ、３４Ｃに溜まった雨水がアングル３６を越えて室内に浸入することが防止されている。
【特許文献１】特開２００７−４０１０２号公報（図１、図５、図６）
【考案の開示】
【考案が解決しようとする課題】
【０００８】
近年、日本に上陸する台風の威力が大きくなっている。そして、台風時に、建物の窓に吹き付ける単位時間当たりの雨量が非常に多くなるケースや、台風が伴う風の力が極めて大きくなるケースが増加している。
本考案者の経験によれば、大きな台風の来襲時に、窓をしっかりと閉め切っておいても、雨水が窓の下枠２４から室内に浸入してくることがある。前述したように、下枠２４が階段状となっているにもかかわらず、雨水が下枠２４から室内に浸入してくるメカニズムは、以下のものであると本考案者は考察する。
【０００９】
すなわち、台風時には、窓に吹き付ける強い風の力が、水切り面３４Ａ、３４Ｂに溜まった雨水に作用する。水切り面３４Ａの雨水に作用する強い風の力によって、水切り面３４Ａの雨水が水切り面３４Ｂに逆流する。また、水切り面３４Ｂの雨水に作用する強い風の力によって、水切り面３４Ｂの雨水が水切り面３４Ｃに逆流する。
また、内側可動障子３８の空間部４４や外側可動障子４０の空間部４４を介して、風の力が水切り面３４Ｃに溜まった雨水に作用する。水切り面３４Ｃの雨水に作用する強い風の力によって、水切り面３４Ｃの雨水がアングル３６を越えて室内に浸入してしまうのである。
本考案は、上記問題を解決するものであり、その目的とするところは、台風時に雨水が窓から室内に浸入することを防止可能な雨水浸入防止装置を提供することである。
【課題を解決するための手段】
【００１０】
本考案は、その課題を解決するために以下のような構成をとる。請求項１の考案に係る雨水浸入防止装置は、可動障子と窓枠とを有する窓から雨水が屋内へ浸入することを防止する雨水浸入防止装置であって、前記窓枠の下端側から屋外側に向かって張り出す面台の上に立設される雨水浸入防止板と、前記面台の長手方向両端に設けられて、前記雨水浸入防止板の長手方向両端を支承する第１の支承部材と、を有している。
【００１１】
雨水浸入防止板が、面台の長手方向両側に設けられた第１の支承部材によって支承され、面台の上に立設される。面台の上に立設された雨水浸入防止板は、窓枠の下端側部分に吹き付ける風をさえぎることができる。この結果、窓に吹き付ける風の力が窓枠に溜まった雨水に伝わることが防止されて、窓枠に溜まった雨水が室内へ浸入することも防止される。また、雨水浸入防止板によって、窓枠に直接吹き付けられる雨水の量が減少するとともに、窓枠に溜まる雨水の量が減少し、雨水が窓枠から室内へ浸入することが防止される。
【００１２】
請求項２の考案に係る雨水浸入防止装置は、請求項１記載の雨水浸入防止装置であって、前記雨水浸入防止板の長手方向中間部を前記面台の上で支承する第２の支承部材を有している。
窓枠の間口方向の長さが長い場合、面台の長手方向の長さが長くなり、面台の上に立設される雨水浸入防止板の長手方向の長さも長くなる。雨水浸入防止板の長手方向の長さが長くなっても、第２の支承部材によって雨水浸入防止板の長手方向中間部を支承することができる。この結果、雨水浸入防止板を面台の上に安定して立設することができる。
【００１３】
請求項３の考案に係る雨水浸入防止装置は、請求項２記載の雨水浸入防止装置であって、前記第２の支承部材が、前記面台の上に螺子止め可能に形成されている。
第２の支承部材は面台の上に螺子止め可能であるので、雨水浸入防止板を面台の上に立設する場合にのみ、第２の支承部材を面台の上に螺子止めしておくことができる。雨水浸入防止板を面台の上に立設する必要がない場合には、第２の支承部材を面台の上から取り外しておくことができる。
第２の支承部材を面台の上から取り外したときは、面台の上にあいた螺子穴に螺子をねじ込んでおけばよく、螺子の紛失を防止できるとともに、螺子穴にごみ等が詰まることを防止できる。
【００１４】
請求項４の考案に係る雨水浸入防止装置は、請求項１から請求項３のうちのいずれかの請求項に記載の雨水浸入防止装置であって、前記雨水浸入防止板の底面は、前記雨水浸入防止板の裏面から表面側に向かって形成された切り欠きを有している。
降雨量が多い場合、雨水浸入防止板の裏面側と窓枠との間に、窓枠から流れ出た雨水が溜まろうとする。しかし、雨水浸入防止板の裏面側と窓枠との間の雨水は、雨水浸入防止板の底面に形成された切り欠きに流れ、雨水浸入防止板の表面側から面台に流れ出る。
【００１５】
請求項５の考案に係る雨水浸入防止装置は、請求項１から請求項４のうちのいずれかの請求項に記載の雨水浸入防止装置であって、前記第１の支承部材と前記雨水浸入防止板の長手方向端部とのうちのいずれか一方に凸部が形成され、他方に当該凸部と係合可能な凹部が形成されている。
第１の支承部材と前記雨水浸入防止板の長手方向端部とのうちのいずれか一方に形成された凸部と、他方に形成された凹部とを係合させることによって、雨水浸入防止板を面台の上に容易にしっかりと立設できる。
【考案の効果】
【００１６】
上記のような雨水浸入防止装置であるので、台風時に雨水が窓から室内に浸入することを防止できる。
【考案を実施するための最良の形態】
【００１７】
本考案を実施するための最良の形態を図１から図４を参照しつつ説明する。図１は第１の支承部材及び第２の支承部材の斜視図、図２は雨水浸入防止板の説明図であり、図２（ｉ）は裏面側から見た雨水浸入防止板の斜視図、図２（ｉｉ）は雨水浸入防止板の底面図、図３は面台の上に立設した雨水浸入防止装置の外観図、図４は面台の上に立設した雨水浸入防止装置の断面図である。なお、図１においては、外側可動障子及び内側可動障子の図示を省略している。
前述した従来のものと同様の構成のものには同じ番号を付する。
【００１８】
図１、図３及び図４に示すように、建物の外壁１０の開口部１２の内側にサッシ窓が設けられており、サッシ窓の窓枠２２の一部をなす下枠２４が建物の土台１４の上に載っている。
下枠２４の下端側から室外側に向かって面台１６が張り出し、面台１６は室外側に向かってなだらかに下降する傾斜面をなす。面台１６の室外側にはテラス１８が設けられている。
下枠２４は階段状をなし、前述した従来のものと同じ構成を有している。すなわち、下枠２４は、網戸レール２６、外側障子レール２８、内側障子レール３０、水切り面３４Ａ、３４Ｂ、３４Ｃ、アングル３６を有している。また、網戸レール２６、外側障子レール２８、内側障子レール３０は、それぞれの長手方向両端に水抜きをなす切り欠き３２を有している。
【００１９】
網戸レール２６、外側障子レール２８、内側障子レール３０の各頂部は順番に高くなっており、水切り面３４Ａ、３４Ｂ、３４Ｃも順番に高くなっている。アングル３６は、内側障子レール３０の頂部よりも一段と高い位置に設けられており、アングル３６が室内の床仕上げ材４６の縁上にかぶさっている。
図４に示すように、内側可動障子３８及び外側可動障子４０が窓枠２２内にスライド可能に支持されて嵌っている。内側可動障子３８及び外側可動障子４０は、それぞれ、下端部分に戸車４２を収納する空間部４４を有し、内側可動障子３８の戸車４２が内側障子レール３０の上に載り、外側可動障子４０の戸車４２が外側障子レール２８の上に載っている。
【００２０】
開口部１２において、面台１６の長手方向（すなわち、窓の間口方向）両側には、いわゆるダキ２０として、開口部１２の内側面が垂直に屹立している。ダキ２０の下端側部分であって、面台１６の幅方向中央部分にあたる位置には、第１の支承部材５２が設置されている。なお、面台１６の幅方向とは、面台１６の表面において、面台１６の長手方向と直交する方向のことであり、室内側から室外側へ向かう方向のことである。
【００２１】
第１の支承部材５２は縦長の細長い角柱からなり、この角柱が凸部５４をなす。凸部５４の断面形状は四角形をなす。第１の支承部材５２を貫通する螺子７２Ａが、第１の支承部材５２をダキ２０に螺子止めしている、螺子止めされた第１の支承部材５２の長手方向は鉛直方向を向いている。
面台１６の長手方向中央部分であって、面台１６の幅方向中央部分には、螺子穴５６が形成されている。
【００２２】
略コの字形の金具である第２の支承部材５８が準備されている。第２の支承部材５８のコの字の中央の谷部分には螺子穴６２が形成されている。螺子７２Ｂを螺子穴６２に挿通して螺子穴５６に螺合することによって、第２の支承部材５８は面台１６の上に螺子止め可能に構成されている。第２の支承部材５８のコの字の両脚の長さは、第１の支承部材５２の鉛直方向の高さとほぼ同じ寸法である。
【００２３】
図２及び図３に示すように、細長い板状体である雨水浸入防止板６４が準備されている。雨水浸入防止板６４の長手方向の長さは、面台１６の長手方向の長さに対応した寸法である。雨水浸入防止板６４の高さは、面台１６からアングル３６までの高さよりも充分に大きな寸法である。例えば、雨水浸入防止板６４の高さは、面台１６からアングル３６までの高さの１．２倍から２倍までの任意の寸法にすることができる。雨水浸入防止板６４の板厚は、第２の支承部材５８のコの字の脚６０同士の間隔よりもわずかに小さい寸法である。雨水浸入防止板６４の一方の面が表面をなし、他方の面が裏面をなす。
【００２４】
雨水浸入防止板６４の長手方向両端には、雨水浸入防止板６４の高さ方向に連続する溝が形成されており、この溝が凹部６８をなす。凹部６８の断面形状は、第１の支承部材５２をなす凸部５４の断面形状に対応している。
雨水浸入防止板６４の底面６６には、複数個の切り欠きが形成されている。これらの各切り欠きが水抜き路７０をなしている。各水抜き路７０は、底面６６の裏面側縁６６Ａから表面側に向かってのびているが、底面６６の表面側縁６６Ｂには達していない。各水抜き路７０は、雨水浸入防止板６４の長手方向に等間隔で形成されている。
これらの第１の支承部材５２、第２の支承部材５８及び雨水浸入防止板６４が雨水浸入防止装置５０を形成している。
【００２５】
次に、作用について説明する。
台風の来襲が予想される場合、螺子７２Ｂによって面台１６の上に第２の支承部材５８を螺子止めする（図１を参照）。ついで、雨水浸入防止板６４の底面６６を面台１６側に向けて降下させ、雨水浸入防止板６４の長手方向中央部分を第２の支承部材５８のコの字の脚６０同士の間に挟み、同時に、雨水浸入防止板６４の長手方向両端の凹部６８と第１の支承部材５２の凸部５４とを互いに係合させる（図３を参照）。
雨水浸入防止板６４は第１の支承部材５２と第２の支承部材５８によって支承され、面台１６の上に鉛直に立設される。面台１６の上において、雨水浸入防止板６４の底面６６は、裏面側縁６６Ａが面台１６に接触し、底面６６の他の部分は面台１６に接触していない。室外側から見ると、下枠２４は雨水浸入防止板６４の背後に隠れて見えない（図３及び図４を参照）。
【００２６】
台風が来襲し、強い風とともに雨水が外側可動障子４０や内側可動障子３８に吹き付けられる。外側可動障子４０に吹き付けられた雨水は水切り面３４Ａに流れ落ち、内側可動障子３８に吹き付けられた雨水は水切り面３４Ｂに流れ落ちる。そして、水切り面３４Ｂの雨水は、外側障子レール２８の切り欠き３２を通って水切り面３４Ａに流れ、水切り面３４Ａの雨水は、網戸レール２６の切り欠き３２を通って面台１６に流れ、最終的にはテラス１８に流れ落ちる。
【００２７】
また、雨水浸入防止板６４と下枠２４との間に入った雨水は、雨水浸入防止板６４の水抜き路７０を通り、面台１６の上を流れ、テラス１８に流れ落ちる。したがって、雨水浸入防止板６４と下枠２４との間に雨水が溜まることが防止されている。
雨水浸入防止板６４が面台１６の上に立設されているので、外側障子レール２８や内側障子レール３０の近辺に風が直接吹き付けることが防止されている。このため、内側可動障子３８の空間部４４や外側可動障子４０の空間部４４に風が吹き込むことが防止されている。したがって、内側可動障子３８の空間部４４や外側可動障子４０の空間部４４を介して、風の力が水切り面３４Ｃに作用することが防止されている。
【００２８】
また、雨水浸入防止板６４によって、水切り面３４Ａの雨水に風の力が作用することが防止されて、雨水が水切り面３４Ａから水切り面３４Ｂに逆流することが防止されている。さらに、雨水浸入防止板６４によって、水切り面３４Ｂの雨水に風の力が作用することが防止されて、雨水が水切り面３４Ｂから水切り面３４Ｃに逆流することが防止されている。
【００２９】
したがって、水切り面３４Ｃに雨水が溜まることが防止されている。また、万一、水切り面３４Ｃに雨水が溜まることがあったとしても、水切り面３４Ｃに風の力が作用することが防止されているので、雨水が水切り面３４Ｃからアングル３６を越えて室内に浸入してしまうことも防止されている。
台風が去ったら雨水浸入防止板６４を面台１６から撤去する。まず、雨水浸入防止板６４を上方に持ち上げて面台１６の上から取り外す。ついで、第２の支承部材５８を面台１６の上から取り外す。雨水浸入防止板６４は第１の支承部材５２と第２の支承部材５８によって支承されているだけであり、第２の支承部材５８は面台１６に螺子止めされているだけなので、雨水浸入防止板６４と第２の支承部材５８の取り外し作業は簡単である。
【００３０】
第２の支承部材５８を取り外したら、面台１６の螺子穴５６に螺子７２Ｂをねじ込む。螺子７２Ｂは螺子穴５６に螺合したかたちで保管され、螺子７２Ｂの紛失が予防されるとともに、螺子穴５６にごみが溜まることも防止される。
なお、雨水浸入防止装置５０を設置することによって、細かな砂塵等がサッシ窓から室内に入り込むことも防止できる。
【図面の簡単な説明】
【００３１】
【図１】第１の支承部材及び第２の支承部材の斜視図である。
【図２】雨水浸入防止板の説明図であり、（ｉ）は裏面側から見た雨水浸入防止板の斜視図、（ｉｉ）は雨水浸入防止板の底面図である。
【図３】面台の上に立設した雨水浸入防止装置の外観図である。
【図４】面台の上に立設した雨水浸入防止装置の断面図である。
【図５】従来あるサッシ窓の窓枠の部分説明図である。
【符号の説明】
【００３２】
１０    外壁
１２    開口部
１４    土台
１６    面台
１８    テラス
２０    ダキ
２２    窓枠
２４    下枠
２６    網戸レール
２８    外側障子レール
３０    内側障子レール
３２    切り欠き
３４Ａ、３４Ｂ、３４Ｃ    水切り面
３６    アングル
３８    内側可動障子
４０    外側可動障子
４２    戸車
４４    空間部
４６    床仕上げ材
５０    雨水浸入防止装置
５２    第１の支承部材
５４    凸部
５６    螺子穴
５８    第２の支承部材
６０    脚
６２    螺子穴
６４    雨水浸入防止板
６６    底面
６６Ａ    底面の裏面側縁
６６Ｂ    底面の表面側縁
６８    凹部
７０    水抜き路
７２Ａ、７２Ｂ    螺子
【図１】
0003135612.tif 000003
【図２】
0003135612.tif 000004
【図３】
0003135612.tif 000005
【図４】
0003135612.tif 000006
【図５】
0003135612.tif 000007